【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】次式（Ｉ）
【化１】
1999322714.tif 000001
［式中、
Ｇ1、Ｇ2、Ｇ3、Ｇ4は、少なくとも一つはメチル基を表さないという条件で、独立して炭素原子数１ないし６のアルキル基を表すか、またはＧ1とＧ2またはＧ3とＧ4、またはＧ1とＧ2およびＧ3とＧ4は一緒になって、炭素原子数５ないし１２のシクロアルキル基を形成し、
Ｇ5、Ｇ6は独立して、Ｈ、炭素原子数１ないし１８のアルキル基、フェニル基、ナフチル基または−ＣＯＯ（炭素原子１ないし１８のアルキル）基を表し、そして
Ｘは、Ｘから誘導される遊離ラジカルＸ・がエチレン性不飽和モノマーの重合を開始することができるような基を表す。］で表される構造要素を含む１−アルコキシ−ポリアルキル−ピペリジン誘導体［但し、次式
【化２】
1999322714.tif 000002
で表される化合物（Ａ１）および（Ａ２）を除く。］。
【請求項２】 次式（Ａ）ないし（Ｓ）
【化３】
1999322714.tif 000003
【化４】
1999322714.tif 000004
【化５】
1999322714.tif 000005
【化６】
1999322714.tif 000006
【化７】
1999322714.tif 000007
【化８】
1999322714.tif 000008
【化９】
1999322714.tif 000009
【化１０】
1999322714.tif 000010
【化１１】
1999322714.tif 000011
【化１２】
1999322714.tif 000012
【化１３】
1999322714.tif 000013
【化１４】
1999322714.tif 000014
【化１５】
1999322714.tif 000015
【化１６】
1999322714.tif 000016
【化１７】
1999322714.tif 000017
【化１８】
1999322714.tif 000018
【化１９】
1999322714.tif 000019
【化２０】
1999322714.tif 000020
［式中、
Ｇ1、Ｇ2、Ｇ3およびＧ4は独立して、１ないし４個の炭素原子からなるアルキル基を表すか、またはＧ1とＧ2が一緒になっておよびＧ3とＧ4が一緒になって、またはＧ1とＧ2が一緒になってまたはＧ3とＧ4が一緒になって、ペンタメチレン基を表し、
Ｇ5およびＧ6は独立して、水素原子または炭素原子数１ないし４のアルキル基を表し、
Ｒは、ｍが１を表す場合、水素原子、中断されていない炭素原子数１ないし１８のアルキル基または１個またはそれ以上の酸素原子によって中断された炭素原子数２ないし１８のアルキル基、シアノエチル基、ベンゾイル基、グリシジル基、２ないし１８個の炭素原子を有する脂肪族カルボン酸の一価基、７ないし１５個の炭素原子を有する環式脂肪族カルボン酸の一価基、または３ないし５個の炭素原子を有するα，β−不飽和カルボン酸の一価基または７ないし１５個の炭素原子を有する芳香族カルボン酸の一価基を表し、それぞれのカルボン酸は、脂肪族部分、環式脂肪族部分または芳香族部分において、１ないし３個の次式−ＣＯＯＺ12［式中、Ｚ12は、Ｈ、炭素原子数１ないし２０のアルキル基、炭素原子数３ないし１２のアルケニル基、炭素原子数５ないし７のシクロアルキル基、フェニル基またはベンジル基を表す。］で表される基によって置換されることができるか、またはＲは、カルバミン酸またはリン原子含有酸の一価基または一価シリル基を表し、
Ｒは、ｍが２を表す場合、炭素原子数２ないし１２のアルキレン基、炭素原子数４ないし１２のアルケニレン基、キシリレン基、２ないし３６個の炭素原子を有する脂肪族ジカ
ルボン酸の二価基、または８ないし１４個の炭素原子を有する環式脂肪族または芳香族ジカルボン酸の二価基、８ないし１４個の炭素原子を有する脂肪族、環式脂肪族または芳香族ジカルバミン酸の二価基を表し、それぞれのジカルボン酸は、脂肪族部分、環式脂肪族部分または芳香族部分において、１または２個の−ＣＯＯＺ12基によって置換されることができるか、またはＲはリン原子含有酸の二価基または二価シリル基を表し、
Ｒは、ｍが３を表す場合、脂肪族、環式脂肪族または芳香族トリカルボン酸の三価基であって、脂肪族部分、環式脂肪族部分または芳香族部分において、−ＣＯＯＺ12基によって置換され得る基、芳香族トリカルバミン酸の三価基またはリン原子含有酸の三価基、または三価シリル基を表し、
Ｒは、ｍが４を表す場合、脂肪族、環式脂肪族または芳香族テトラカルボン酸の四価基を表し、
ｐは、１、２または３を表し、
Ｒ1は、炭素原子数１ないし１２のアルキル基、炭素原子数５ないし７のシクロアルキ
ル基、炭素原子数７ないし８のアラルキル基、炭素原子数２ないし１８のアルカノイル基、炭素原子数３ないし５のアルケノイル基またはベンゾイル基を表し、
ｐが１を表すとき、
Ｒ2は、炭素原子数１ないし１８のアルキル基、炭素原子数５ないし７のシクロアルキ
ル基、未置換もしくはシアノ基、カルボニル基もしくはカルバミド基によって置換された炭素原子数２ないし８のアルケニル基を表すか、またはグリシジル基、次式−ＣＨ２ＣＨ（ＯＨ）−Ｚ、−ＣＯ−Ｚまたは−ＣＯＮＨ−Ｚ［各式中、Ｚは、水素原子、メチル基またはフェニル基を表す。］で表される基を表し、または
ｐが２を表すとき、
Ｒ2は、炭素原子数２ないし１２のアルキレン基、炭素原子数６ないし１２のアリーレ
ン基、キシリレン基、次式−ＣＨ2ＣＨ（ＯＨ）ＣＨ2−Ｏ−Ｂ−Ｏ−ＣＨ2ＣＨ（ＯＨ）
ＣＨ2−［式中、Ｂは、炭素原子数２ないし１０のアルキレン基、炭素原子数６ないし１
５のアリーレン基または炭素原子数６ないし１２のシクロアルキレン基を表す。］で表される基を表し、但し、Ｒ1はアルカノイル基、アルケノイル基またはベンゾイル基を表さ
ないという条件で、Ｒ２は脂肪族、環式脂肪族または芳香族ジカルボン酸またはジカルバミン酸の二価アシル基をも表すことができるか、または基−ＣＯ−を表すことができ、または
Ｒ1とＲ2は、ｐが１を表すとき、一緒になって脂肪族または芳香族１，２−または１，３−ジカルボン酸の環式アシル基を表すことができ、または
Ｒ2は、次式
【化２１】
1999322714.tif 000021
［式中、
Ｔ7およびＴ8は独立して、水素原子、１ないし１８個の炭素原子からなるアルキル基を表すか、またはＴ7とＴ8は一緒になって、４ないし６個の炭素原子からなるアルキレン基または３−オキサペンタメチレン基を表す。］で表される基を表し、
ｐが３を表すとき、Ｒ2は２，４，６−トリアジニル基を表し、
ｎが１を表すとき、
Ｒ3は、炭素原子数２ないし８のアルキレン基またはヒドロキシアルキレン基または炭
素原子数４ないし２２のアシルオキシアルキレン基を表し、または
ｎが２を表すとき、Ｒ3は（−ＣＨ2）2Ｃ（ＣＨ2−）2を表し、
ｎが１を表すとき、
Ｒ4は、水素原子、炭素原子数１ないし１２のアルキル基、炭素原子数３ないし５のア
ルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基、次式−（ＣＨ2
）m−ＣＯＯ−Ｑまたは−（ＣＨ2）m−Ｏ−ＣＯ−Ｑ［式中、ｍは１または２を表し、そ
してＱは炭素原子数１ないし４のアルキル基またはフェニル基を表す。］で表される基を表し、または
ｎが２を表すとき、
Ｒ4は、炭素原子数２ないし１２のアルキレン基、炭素原子数６ないし１２のアリーレ
ン基、次式−ＣＨ2ＣＨ（ＯＨ）ＣＨ2−Ｏ−Ｄ−Ｏ−ＣＨ2ＣＨ（ＯＨ）ＣＨ2−［式中、Ｄは、炭素原子数２ないし１０のアルキレン基、炭素原子数６ないし１５のアリーレン基または炭素原子数６ないし１２のシクロアルキレン基を表す。］で表される基、または次式−ＣＨ2ＣＨ（ＯＺ1）ＣＨ2−（ＯＣＨ2ＣＨ（ＯＺ1）ＣＨ2）2−［式中、Ｚ1は、水素原子、炭素原子数１ないし１８のアルキル基、アリル基、ベンジル基、炭素原子数２ないし１２のアルカノイル基またはベンゾイル基を表す。］で表される基を表し、
Ｒ5は、水素原子、炭素原子数１ないし１２のアルキル基、アリル基、ベンジル基、グ
リシジル基または炭素原子数２ないし６のアルコキシアルキル基を表し、
Ｑ1は、−Ｎ（Ｒ7）−または−Ｏ−を表し、
Ｅは、炭素原子数１ないし３のアルキレン基、次式−ＣＨ2ＣＨ（Ｒ8）−Ｏ−［式中、Ｒ8は、水素原子、メチル基またはフェニル基を表す。］で表される基、基−（ＣＨ2）3
−ＮＨ−または直接結合を表し、
Ｒ7は、炭素原子数１ないし１８のアルキル基、炭素原子数５ないし７のシクロアルキ
ル基、炭素原子数７ないし１２のアラルキル基、シアノエチル基、炭素原子数６ないし１０のアリール基、基−ＣＨ2ＣＨ（Ｒ8）−ＯＨ、または次式
【化２２】
1999322714.tif 000022
で表される基または次式
【化２３】
1999322714.tif 000023
［式中、
Ｇは、炭素原子数２ないし６のアルキレン基または炭素原子数６ないし１２のアリーレン基を表し、そしてＲは上記で定義されるものを表す。］で表される基を表すか、またはＲ7は、基−Ｅ−ＣＯ−ＮＨ−ＣＨ2−ＯＲ6を表し、
Ｒ6は、水素原子または炭素原子数１ないし１８のアルキル基を表し、
式（Ｆ）は、式中、Ｔがエチレン基または１，２−プロピレン基を表すか、またはアルキルアクリレートまたはメタクリレートをもつα−オレフィンコポリマーから誘導された反復構造単位を表すオリゴマーの繰返し構造単位を表し、
ｋは２ないし１００を表し、
Ｒ10は、水素原子、炭素原子数１ないし１２のアルキル基または炭素原子数１ないし１２のアルコキシ基を表し、
Ｔ2はＲ4と同じ意味を有し、
Ｔ3およびＴ4は独立して、２ないし１２個の炭素原子からなるアルキレン基を表すか、またはＴ4は、次式
【化２４】
1999322714.tif 000024
で表される基を表し、
Ｔ5は、炭素原子数２ないし２２のアルキレン基、炭素原子数５ないし７のシクロアル
キレン基、炭素原子数１ないし４のアルキレンジ（炭素原子数５ないし７のシクロアルキレン）基、フェニレン基またはフェニレンジ（炭素原子数１ないし４のアルキレン）基を表し、
Ｔ6は、次式
【化２５】
1999322714.tif 000025
［式中、
ａ、ｂおよびｃは独立して、２または３を表し、そしてｄは０または１を表し、ｅは３または４を表す。］で表される基を表し、
Ｔ7およびＴ8は独立して、水素原子、炭素原子数１ないし１８のアルキル基を表すか、またはＴ7とＴ8は一緒になって、炭素原子数４ないし６のアルキレン基または３−オキサペンタメチレン基を表し、
Ｅ1およびＥ2は、異なって、それぞれ−ＣＯ−または次式−Ｎ（Ｅ5）−［式中、Ｅ5は、水素原子、炭素原子数１ないし１２のアルキル基または炭素原子数４ないし２２のアルコキシカルボニルアルキル基を表す。］で表される基を表し、
Ｅ3は、水素原子、１ないし３０個の炭素原子からなるアルキル基、フェニル基、ナフ
チル基、塩素原子または１ないし４個の炭素原子からなるアルキル基によって置換された前記フェニル基または前記ナフチル基、７ないし１２個の炭素原子からなるフェニルアルキル基、または１ないし４個の炭素原子からなるアルキル基によって置換された前記フェニルアルキル基を表し、
Ｅ4は、水素原子、１ないし３０個の炭素原子からなるアルキル基、フェニル基、ナフ
チル基または７ないし１２個の炭素原子からなるフェニルアルキル基を表すか、または
Ｅ3およびＥ4は一緒になって、４ないし１７個の炭素原子からなるポリメチレン基、または１ないし４個の炭素原子からなる４個までのアルキル基によって置換された前記ポリメチレン基を表し、そして
Ｅ6は、脂肪族または芳香族四価基を表す。］のいずれかで表される請求項１記載の化
合物または化合物の混合物。
【請求項３】式中、Ｘは、−ＣＨ2−（アリール）基、次式
【化２６】
1999322714.tif 000026
で表される基、−ＣＨ2ＣＨ2−（アリール）基、次式
【化２７】
1999322714.tif 000027
で表される基、（炭素原子数５ないし６のシクロアルキル）2ＣＣＮ基、（炭素原子数１
ないし１２のアルキル）2ＣＣＮ基、−ＣＨ2ＣＨ＝ＣＨ2、（炭素原子数１ないし１２の
アルキル）−ＣＲ20−Ｃ（Ｏ）−（炭素原子数１ないし１２のアルキル）基、（炭素原子数１ないし１２のアルキル）−ＣＲ20−Ｃ（Ｏ）−（炭素原子数６ないし１０のアリール）基、（炭素原子数１ないし１２のアルキル）−ＣＲ20−Ｃ（Ｏ）−（炭素原子数１ないし１２のアルコキシ）基、（炭素原子数１ないし１２のアルキル）−ＣＲ20−Ｃ（Ｏ）−（フェノキシ）基、（炭素原子数１ないし１２のアルキル）−ＣＲ20−Ｃ（Ｏ）−Ｎ−ジ（炭素原子数１ないし１２のアルキル）基、（炭素原子数１ないし１２のアルキル）−ＣＲ20−Ｃ（Ｏ）−ＮＨ（炭素原子数１ないし１２のアルキル）基、（炭素原子数１ないし１２のアルキル）−ＣＲ20−Ｃ（Ｏ）−ＮＨ2基、−ＣＨ2ＣＨ＝ＣＨＣＨ3、−ＣＨ2Ｃ（ＣＨ3）＝ＣＨ2、−ＣＨ2ＣＨ＝ＣＨ−（フェニル）基、−ＣＨ2Ｃ≡ＣＨ、次式
【化２８】
1999322714.tif 000028
または
【化２９】
1999322714.tif 000029
で表される基
［各式中、
Ｒ20は、水素原子または炭素原子数１ないし１２のアルキル基を表し、前記アリール基は、未置換または炭素原子数１ないし１２のアルキル基、ハロゲン原子、炭素原子数１ないし１２のアルコキシ基、炭素原子数１ないし１２のアルキルカルボニル基、グリシジルオキシ基、−ＯＨ、−ＣＯＯＨもしくは−ＣＯＯ（炭素原子数１ないし１２のアルキル）基で置換されている。］からなる群より選択されるところの、請求項１記載の化合物。
【請求項４】式中、
ｍは１を表し、
Ｒは、水素原子、中断されていないかもしくは１個またはそれ以上の酸素原子によって中断された炭素原子数１ないし１８のアルキル基、シアノエチル基、ベンゾイル基、グリシジル基、２ないし１８個の炭素原子を有する脂肪族カルボン酸の一価基、７ないし１５個の炭素原子を有する環式脂肪族カルボン酸の一価基、３ないし５個の炭素原子を有するα，β−不飽和カルボン酸の一価基または７ないし１５個の炭素原子を有する芳香族カルボン酸の一価基を表し、
ｐは１を表し、
Ｒ1は、炭素原子数１ないし１２のアルキル基、炭素原子数５ないし７のシクロアルキ
ル基、炭素原子数７ないし８のアラルキル基、炭素原子数２ないし１８のアルカノイル基、炭素原子数３ないし５のアルケノイル基またはベンゾイル基を表し、
Ｒ2は、炭素原子数１ないし１８のアルキル基、炭素原子数５ないし７のシクロアルキ
ル基、未置換もしくはシアノ基、カルボニル基もしくはカルバミド基によって置換された炭素原子数２ないし８のアルケニル基を表すか、またはグリシジル基、次式−ＣＨ2ＣＨ
（ＯＨ）−Ｚ、−ＣＯ−Ｚまたは−ＣＯＮＨ−Ｚ［式中、Ｚは、水素原子、メチル基またはフェニル基を表す。］で表される基を表すところの、式（Ａ）、（Ｂ）または（Ｏ）で表される請求項２記載の化合物。
【請求項５】ａ）少なくとも１種のエチレン性不飽和モノマーまたはオリゴマー、およびｂ）次式（Ｉ）
【化３０】
1999322714.tif 000030
［式中、Ｇ1、Ｇ2、Ｇ3、Ｇ4は、少なくとも一つはメチル基を表さないという条件で、独立して炭素原子数１ないし６のアルキル基を表すか、またはＧ1とＧ2またはＧ3とＧ4、またはＧ1とＧ2およびＧ3とＧ4は一緒になって、炭素原子数５ないし１２のシクロアルキル基を形成し、
Ｇ5、Ｇ6は独立して、Ｈ、炭素原子数１ないし１８のアルキル基、フェニル基、ナフチル基または−ＣＯＯ（炭素原子１ないし１８のアルキル）基を表し、そして
Ｘは、少なくとも１個の炭素原子を有し、かつＸから誘導される遊離ラジカルＸ・がエチレン性不飽和モノマーの重合を開始することができるような基を表す。］で表される構造要素を含む１−アルコキシ−ポリアルキル−ピペリジン誘導体［但し、次式
【化３１】
1999322714.tif 000031
で表される化合物（Ａ１）および（Ａ２）を除く。］からなる重合性組成物。
【請求項６】少なくとも１種のエチレン性不飽和モノマーまたはオリゴマーの遊離ラジカル重合による、オリゴマー、コオリゴマー、ポリマーまたはコポリマー（ブロックまたはランダム）の製造方法であって、請求項１記載の式（Ｉ）で表される構造要素を含む開始剤化合物の存在下で、Ｏ−Ｃ結合の切断を生じさせて、２種の遊離ラジカルを形成することができ、ラジカルＸ・が重合を開始することができる反応条件下で、モノマーまたはモノマー／オリゴマーを（共）重合することからなる方法。
【請求項７】次式（ＩＩ）
【化３２】
1999322714.tif 000032
［式中、
Ｇ1、Ｇ2、Ｇ3、Ｇ4は、少なくとも一つはメチル基を表さないという条件で、独立して炭素原子数１ないし６のアルキル基を表すか、またはＧ1とＧ2またはＧ3とＧ4、またはＧ1とＧ2およびＧ3とＧ4は一緒になって、炭素原子数５ないし１２のシクロアルキル基を形成し、
Ｇ5、Ｇ6は独立して、Ｈ、炭素原子数１ないし１８のアルキル基、フェニル基、ナフチル基または−ＣＯＯ（炭素原子１ないし１８のアルキル）基を表す。］で表される構造要素を含む１−オキシ−ポリアルキル−ピペリジン誘導体［但し、次式
【化３３】
1999322714.tif 000033
で表される化合物（Ｂ１）、（Ｂ２）および（Ｂ３）を除く。］。
【請求項８】ａ）少なくとも１種のエチレン性不飽和モノマーまたはオリゴマー、および
ｂ）式（ＩＩ）で表される化合物、および
ｃ）エチレン性不飽和モノマーの重合を開始することができるラジカル開始剤Ｘ・
からなる、重合性組成物。
【請求項９】 少なくとも１種のエチレン性不飽和モノマー／オリゴマーの遊離ラジカル
重合による、オリゴマー、コオリゴマー、ポリマーまたはコポリマー（ブロックまたはランダム）の製造方法であって、請求項８記載の組成物を熱または化学線に受けさせることからなる方法。
【請求項１０】請求項６記載の方法によって得られる、少なくとも１種の開始剤基−Ｘおよび少なくとも１種の次式（Ｉａ）
【化３４】
1999322714.tif 000034
［式中、Ｇ1、Ｇ2、Ｇ3、Ｇ4、Ｇ5およびＧ6は、請求項１において定義されるものを表す。］で表される請求項７記載のオキシアミン基を結合して有するポリマーまたはオリゴマー。